(57)【特許請求の範囲】
【請求項１】
容器の開口部を覆って取り付けられるように適合されたカバーと、
前記容器の係合部に係合して、前記カバーが前記容器から外れるのを防止する係合手段を構成する少なくとも１つの係合部分と、
前記カバーの外側表面の周りに位置するように適合され、第１の操作モードにおいて、前記容器の一部から前記少なくとも１つの係合部分が外れるのを防止するために固定可能であり、第２の操作モードにおいて、前記容器の一部から前記少なくとも１つの係合部分が外れるのを可能とするために移動可能であり、保持手段を構成する複数の移動可能部材と、
前記保持手段に連結するために、前記カバーの外側表面から外側に向かって伸びている連結部とを備え、
前記少なくとも１つの係合部分が、使用時に、前記容器の側壁を構成し、前記容器の外側の環部に形成された前記容器の一部の下に係合される容器のための装置。
【請求項２】
前記連結部が、前記外側表面の周囲に配列された請求項１記載の装置。
【請求項３】
前記外側表面が、前記カバーの上端の下方に設けられている請求項３記載の装置。
【請求項４】
前記装置が、前記容器を覆うように位置した際に、
前記カバーが、前記容器の開口部の上に位置するように適合された上面を有する請求項３記載の装置。
【請求項５】
前記カバーが、その下端に前記係合手段を含む請求項４記載の装置。
【請求項６】
前記カバーが、複数の脚部を持つ下部区域を有する請求項５記載の装置。
【請求項７】
前記各脚部が、前記カバーの管状区域から下方向に伸びている請求項６記載の装置。
【請求項８】
前記各脚部が、その外側表面に複数の突出部を有し、
前記突出部が、前記連結部として機能する請求項７記載の装置。
【請求項９】
前記各脚部が、前記係合手段の一部を形成する内側に向いた周囲の環部を有する請求項８記載の装置。
【請求項１０】
前記カバーが、端部の間に前記移動可能部材を保持するように適合された端部を含む請求項９記載の装置。
【請求項１１】
前記係合手段が、互いに連結した一以上の分離した部分を有する請求項１０記載の装置。
【請求項１２】
前記係合手段が、少なくとも二つの脚部を有し、
前記各脚部が、前記容器の側壁の下に係合するように適合された係合部を有する請求項１記載の装置。
【請求項１３】
前記脚部は、弾力性を持ち柔軟である請求項１２記載の装置。
【請求項１４】
前記保持手段は、前記脚部が独立して湾曲するのを防止可能に適合されており、
その結果として、前記係合部が前記容器から外れることが可能である請求項１３記載の装置。
【請求項１５】
前記保持手段が、前記脚部と共に押し込み可能に適合されており、
その結果として、前記係合手段が、前記容器の一部に係合可能である請求項１３記載の装置。
【請求項１６】
前記カバーが、前記容器の一部に係合している前記係合手段を、前記保持手段と共に保持する連結部を有する請求項１記載の装置。
【請求項１７】
前記移動可能部材が、前記カバーの外側の表面に対して回転可能な回転可能部材である請求項１記載の装置。
【請求項１８】
前記各回転可能部材が、独立して回転可能である請求項１７記載の装置。
【請求項１９】
前記各回転可能部材が、隣り合う回転可能部材に連結するように適合された請求項１８記載の装置。
【請求項２０】
前記各保持手段が、前記連結部と連結する連結手段を有する請求項１９記載の装置。
【請求項２１】
前記カバーは端部を含み、その間に前記移動可能部材を保持するようになっており、前記回転可能部材の連結手段が、前記連結部と連結すると、前記端部の間での前記移動可能部材の移動が防止される請求項２０記載の装置。
【請求項２２】
前記連結手段が、前記各回転可能部材の内周面上の一以上の凹部を有する請求項２１記載の装置。
【請求項２３】
容器の蓋を覆って取り付けられるように適合されたカバーと、
前記容器の係合部に係合して、前記カバーが前記容器から外れるのを防止する係合手段を構成する少なくとも１つの係合部分と、
前記カバーの外側表面の周りに位置するように適合され、第１の操作モードにおいて、前記容器の一部から前記少なくとも１つの係合部分が外れるのを防止するために固定可能であり、第２の操作モードにおいて、前記容器の一部から前記少なくとも１つの係合部分が外れるのを可能とするために移動可能であり、保持手段を構成する複数の移動可能部材と、
前記保持手段に連結するために、前記カバーの外側表面から外側に向かって伸びている連結部とを備え、
前記少なくとも１つの係合部分が、使用時に、前記容器の側壁を構成し、前記容器の外側の環部に形成された前記容器の一部の下に係合される容器のための装置。
【請求項２４】
前記連結部が、前記外側表面の周囲に配列された請求項２３記載の装置。
【請求項２５】
前記外側表面が、前記カバーの上端の下方に設けられている請求項２４記載の装置。
【請求項２６】
前記装置が、前記容器を覆うように位置した際に、
前記カバーが、前記蓋の上に位置するように適応された上面を有する請求項２５記載の装置。
【発明の詳細な説明】
【０００１】
【発明の属する技術分野】
本発明は保管用容器に関するものであるが、特に液体用の容器に限定されるものではない。
【０００２】
【背景技術】
ソフトドリンクのボトルのような典型的な飲料用容器は、ねじ込み式のキャップを有しており、その結果として、容器内のソフトドリンクへの容易な接近を許してしまう。衛生上及び安全上の理由から、容器の内部への接近を防止する様々なタイプのボトルの密閉方法が提案されている。
【０００３】
国際公開９９／１６６７８号では、本出願人は、容器からの蓋の容易な取り外しを防止した密閉装置を提案している。当該密閉装置は、容器の蓋を覆うキャップの取り外しを、固定用リングと共に防止するために、容器のネック部に特殊な形状を要求するものであった。
【０００４】
上記の密閉装置は、固定用装置と共に作用するために、とりわけボトルのような容器を作る必要があるという大きな不都合を有している。この問題は、一般的なアイディアの実行のコストを著しく増加させ、それ故に、実用することができない。
【０００５】
以下に、容器からの蓋の取り外しを防止することが可能であり、又は、容器の内部への接近を防止することが可能な新規なタイプの装置を提案する。
【０００６】
【発明の開示】
本発明によれば、容器の開口部を覆って取り付けられるように適合されたカバーと、前記容器の係合部に係合して、前記カバーが前記容器から外れるのを防止する係合手段と、前記カバーの外側表面の周りに位置するように適合され、第１の操作モードにおいて、前記容器の一部から前記係合手段が外れるのを防止するために固定可能であり、第２の操作モードにおいて、前記容器の一部から前記係合手段が外れるのを可能とするために移動可能な複数の移動可能部材を有する保持手段とを備えた容器のための装置が提供される。
【０００７】
構成する語は、包括的な意味で使用されていると理解され、如何なる補足的な特徴を排除して解釈されるべきではない。
【０００８】
前記係合手段は、前記容器の対応する係合部に係合するように適合された少なくとも一つの係合部を有することがより好ましい。
【０００９】
前記係合手段は、前記容器の側壁に係合するように適合された少なくとも一つの係合部を有することがより好ましい。
【００１０】
前記容器の側壁は、前記容器の壁の周囲のリブ、周囲の突出部、環部、凹部、又は、その上に保持されるために、容器に取り付けることが可能な中間部材の一部を含んでも良い。
【００１１】
前記係合手段は、前記容器の周囲表面の段差部に係合するように適合されていても良い。
【００１２】
他の実施形態によれば、前記係合手段が、容器のネック部に固定可能な中間部材に係合するように適合されている。
【００１３】
前記中間部材は、一以上の部分を有しており、前記部分が共に取り付けられている際に、前記中間部材が前記容器の上部から持ち上がらないようになっていても良い。
【００１４】
前記中間装置は、前記容器の側壁に係合可能となっていることがより好ましい。
【００１５】
前記係合手段は、前記カバーの下部から構成されていることがより好ましい。
【００１６】
前記保持手段は、前記カバー及び前記係合手段に対して相対的に移動可能であることがより好ましい。
【００１７】
前記係合手段は、互いに連結した一以上の分離した部分を有しても良い。
【００１８】
前記係合手段が、少なくとも二つの脚部から構成されており、前記各脚部が、前記容器の側壁の下に係合するように適合された係合部を有しても良い。
【００１９】
前記脚部は、柔軟であることがより好ましい。
【００２０】
前記脚部は、前記係合部が容器の側壁又は中間部材に係合及び外れることが許容される十分な柔軟性を有することがより好ましい。
【００２１】
前記保持手段は、前記脚部が独立して湾曲するのを防止可能なように適合されており、その結果として、前記係合部が前記容器から外れることが可能であっても良い。
【００２２】
前記保持手段が、前記脚部と共に押し込み可能なように適合されており、その結果として、前記係合手段は、前記容器の一部に係合可能であっても良い。
【００２３】
前記係合手段は、前記係合手段の上部から下方向に伸びているスカート部から構成されていることがより好ましい。
【００２４】
前記カバーは、前記係合手段を有することがより好ましい。
【００２５】
前記カバーは、容器の蓋を覆うように取り付けられるトップ部又はキャップを有することがより好ましい。
【００２６】
前記係合手段は、前記キャップの下部の柔軟な部分から構成されても良い。
【００２７】
前記キャップは、前記容器のネック部の形状に対応した形状を有し、前記キャップが前記容器のネック部を覆うように適合されていることがより好ましい。
【００２８】
前記係合手段は、前記容器の外側の環部／リブ部の下に係合するように適合された内側の周囲のリブ部を有することがより好ましい。
【００２９】
前記各脚部は、隙間により隣り合う脚部から分離されていても良い。
【００３０】
前記隙間は、前記カバーの長手方向に直角又は平行であっても良い。
【００３１】
前記脚部は、解放した状態において、前記容器の係合部から取り外すことが可能であることがより好ましい。
【００３２】
前記脚部は、湾曲した状態において、前記容器の係合部に係合するように適合されていることがより好ましい。
【００３３】
前記係合手段は、前記容器を覆う前記カバーを保持するために、前記カバーの一以上の係合部に係合するように適合された取り外し可能な係合部を有しても良い。
【００３４】
前記取り外し可能で長く伸びた部分が、前記一以上の係合部の湾曲なしで、前記カバーを、前記容器の蓋及びネック部を覆うように取り外し可能に位置させることを可能とすることがより好ましい。
【００３５】
前記係合手段は、前記容器の一部に係合している前記係合手段を、前記保持手段と共に保持する一以上の連結部を有しても良い。
【００３６】
前記保持手段が、前記カバーの周りに設けられたカップリングを有することがより好ましい。
【００３７】
前記保持器は、前記カバーに沿って摺動可能であることがより好ましい。
【００３８】
前記保持器は、前記係合手段が前記容器の係合手段から外れるのを、前記連結部と共に防止するように適合されていても良い。
【００３９】
前記保持手段は、複数の回転可能部材から構成されていることがより好ましい。
【００４０】
前記各回転可能部材は、独立して回転可能であることがより好ましい。
【００４１】
前記各回転可能部材は、隣り合う回転可能部材と連結されていても良い。
【００４２】
前記各回転可能部材は、前記一以上の連結部と連結する連結手段を有することがより好ましい。
【００４３】
代わりに、各保持手段が、前記係合手段の連結手段と連結する連結手段を有することがより好ましい。
【００４４】
前記回転可能部材の連結手段と前記係合手段の連結手段とが連結すると、前記カバーの長手方向に対して平行な方向への前記保持器の移動が防止されることがより好ましい。
【００４５】
他の実施形態によれば、前記カバーの外周面に沿って摺動する前記保持器の動作が防止される。
【００４６】
前記連結手段は、各回転可能部材の内周面上の一以上の凹部を有することがより好ましい。
【００４７】
前記各回転可能部材は、リング部材から構成されていることがより好ましい。
【００４８】
前記係合手段の連結手段は、前記回転可能部材の一以上の凹部に入り込むことが可能な複数の周囲の突出部から構成されていることがより好ましい。
【００４９】
前記各回転可能部材は、周囲の突出部の受け入れのための内側の周囲のガイドを有しても良い。
【００５０】
前記周囲ガイドは、環状の隙間であることがより好ましい。
【００５１】
前記周囲ガイドは、内側の周囲の溝であっても良い。
【００５２】
前記凹部は、前記溝の深さと同一の深さを有しても良い。
【００５３】
前記各回転可能部材は、その中に一以上の凹部を持つ内側の周囲のリブを有することがより好ましい。
【００５４】
前記各周囲の突出部は、前記リブの下に取り付け可能であることがより好ましい。
【００５５】
一の実施形態によれば、各リングに複数のリブがある。
【００５６】
前記各リングは２つの平行なリブを有し、前記２つのリブの間に溝が定められていることがより好ましい。
【００５７】
前記カバーは、前記容器の蓋を覆うために、閉じた上壁と側壁とを持つ上部区域を有することがより好ましい。
【００５８】
前記カバーは、複数の脚部分又は脚部を持つ下部区域を有することがより好ましい。
【００５９】
前記各脚部は、前記上部区域の閉じた側壁から下方向に伸びていることがより好ましい。
【００６０】
前記各脚部は、それ自身の外側の表面に軸方向に配列された突出部を有することがより好ましい。
【００６１】
前記各脚部は、前記係合手段の一部を形成する周囲の環部を有することがより好ましい。
【００６２】
前記保持器は、軸方向に配列された前記突出部を隠すように、前記脚部の長さを覆うことがより好ましい。
【００６３】
前記保持器は、前記カバーの端部の間の移動が制限されていることが好ましい。
【００６４】
前記端部は、リブ、突出部、又は前記カバーから前記保持器が取り外れるのを防止する他のストッパを有することがより好ましい。
【００６５】
前記端部は、前記カバーの両端部に設けられていることがより好ましい。
【００６６】
前記リングは、当該リングが互いに他のリングに対して回転可能に、共に連結されていることがより好ましい。
【００６７】
前記各リングは、隣り合うリングの隣り合う環状の壁に係合するように適合されている内側の環状の壁を有することがより好ましい。
【００６８】
前記隣り合うリングは、前記連結手段により共に連結されていることがより好ましい。
【００６９】
前記各リングは、前記カバーを覆うように前記リングを位置させることを可能とするように、切れ目を形成することがより好ましく、これにより、切れ目を閉じるように前記リングの端部を共に連結し、前記リングの端部が、前記カバー上で前記リングを保持する。
【００７０】
【発明の実施の形態】
以下に、図面に基づいて、本発明の好ましい実施形態について、一例を用いて詳述する。ここにおいて、
図１は、本発明に関する装置の斜視図である。
図２は、図１に示す装置の斜視図である。
図３は、この装置の第１及び第３のリングの斜視図である。
図４は、中央リングの斜視図である。
【００７１】
図１に示すように、好ましい実施形態に関する容器の取り外しを防止する装置１１は、トップ部１２と、３つの固定用リング１３とから構成されている。
【００７２】
トップ部１２は、図２においてより詳細に示されており、このトップ部１２の周りに保持される固定用リング１３は、図３及び図４により詳細に示されている。
【００７３】
トップ部１２は、略円筒形状であり、周囲のリム１５を持つ円形上面１４を有している。このリム１５は、端部の鍔を形成するように、トップ部本体１６の平面を僅かに超えて伸びている。
【００７４】
本実施形態においては、このトップ部の長さは、約５ｃｍであり、その直径は、約２．５ｃｍである。
【００７５】
本体部１６は、２つの小区域に分割することができる。第１の小区域は、上面１４の直下にあり、連続的な円筒形状の壁１７から構成されている。
【００７６】
最下区域１８は、上部区域１７と共に一体的に形成されている４つの湾曲した脚部から構成されており、当該各脚部１８は、下方向に且つ上部区域１７及び各脚部１８と共に同軸方向に伸びている。
【００７７】
各脚部１８は、中間区域１７から下方で軸方向に伸びている隙間１９により分割されている。
【００７８】
各隙間１９は、中間区域１６の周りに等間隔で配置されており、隣り合う隙間１９は、それらの間の脚部１８の輪郭を明確にしている。
【００７９】
一の実施形態によれば、円筒形状の閉じた管状体の壁面に、鉛直方向／軸方向の前記隙間を具備することにより、脚部１８を容易に形成することが可能である。
【００８０】
各脚部１８の下端部には、横方向の縁部又はリブ部２０が形成されている。各リブ２０は、中間区域１６の外側の表面に対して直角な方向で外側に伸びている。
【００８１】
さらに、各脚部１８には、各脚部１８の中点に沿って、鉛直方向／軸方向に一列に配列された矩形形状の突出部２１が具備されている。
【００８２】
本実施形態において、３つの突出部２１が具備されており、これら突出部２１の径方向の長さは、リブ２０の径方向の長さ／幅より僅かに狭い。
【００８３】
各脚部１８は、ある程度の柔軟性を有しており、これは、脚部１８を内側及び外側に僅かに移動させる程度の径方向の柔軟性である。
【００８４】
さらに、各脚部１８の下端部には、外側リブ２０と実質的に同一の内側リブ２２を具備しているが、これは必須のものではない。
【００８５】
図１において、固定用リングの第１のリング及び第３のリングは、符号２３及び２４として表現されている。当該第１及び第３のリング２３、２４はそれぞれ、トップ部１２の中間区域１６の外側より大きな直径を持つ実質的に平滑な外周面２５を有する円筒形状の要素で構成されている。
【００８６】
当該各リングの幅は、約１ｃｍである。
【００８７】
リング２３及び２４の内周面２６は、等間隔で配置された４つの凹部２８によって遮られた円周の溝２７から構成されている。
【００８８】
この溝２７は、内周の上部及び下部のリブ２９、３０によって輪郭が定められている。リブ２９、３０及び溝２７は、凹部２８がリブ２９及び３０を効果的に切り取りながら、リング２３、２４の内周面の全体に亘って伸びている。
【００８９】
この凹部２８は、突出部が溝２７に入り込むための進入口を効果的に提供する。
【００９０】
さらに、本実施形態において、各リング２３、２４は、この溝２７より深い別の内周の溝を有している。この係合溝３１は、端部壁面３２、３３の一方の近傍に設けられており、その結果として、溝３１の壁の一つとして、薄い内周リブ３４を形成する。
【００９１】
溝３１と縁３４は、図４に示す中央リングの対応して形成されたリブ及び溝に係合するように適合されている。
【００９２】
本実施形態は３つのリングを説明しているので、リングを連結した完全なセットに形成するために、２つの外側リング２３、２４が、一つの係合溝を有することを必要とするだけであることに注目すべきである。これに対し、より多くのリングで構成される場合には、外側のリングは、結局、リング２３及び２４と同様のものとなり、各内側リングが、以下に図４に関して説明するように、上面及び下面に複数の連結溝を有することとなる。
【００９３】
従って、リング３５は、リング２３及び２４にほぼ類似した形状であり、中央に設けられた内周溝３６を持つ内周面を有する全体形状を備えている。この内周溝３６は、相対的に幅広の内周リブ３７、３８により輪郭が定められている。
【００９４】
リブ３７及び３８は、リブ２３及び２４のリブより広い幅であるが、溝３６の幅は、リング２３及び２４の両方の幅と本質的に同一である。
【００９５】
同様に、凹部３９は、溝３６の方向に対して直角に等間隔で設けられており、これら凹部３９は、リング３５の上下面４０、４１の間に伸びている。
【００９６】
さらに、リング２５には、最外周面４３の全体の直径及び幅より小さな径方向の直径及び幅を持つ上下の環状の段差部４２が具備されている。
【００９７】
段部面４２には、外縁を成す環部４５と、リング３５の上下面のいずれか一方に対向する表面、すなわち表面４６との間に形成された外周溝４４が具備されている。
【００９８】
環部４５は、リング２３及び２４の凹部３１に嵌合するように適合されており、同様に、リング２３及び２４のリブ３４が、リング３５の溝４４に嵌合するように適合されている。
【００９９】
さらに、リング３５には、端部４８及び４９の間に切れ目を形成するギャップ４７が示されている。
【０１００】
リング３５は、端部４８及び４９を相互に押し付け可能な程度の柔軟性を持つ弾力性を有する材料から作られていることが好ましい。
【０１０１】
端部４８及び４９が相互に押し付けられると、リング３５の直径が減少し、そして、リング３５の上下面にリング２３及び２４を連結することが可能となる。
【０１０２】
リング２３及び２４がリング３５に一旦連結されると、リング２３及び２４は、リング３５に対して独立して回転可能となる。
【０１０３】
連結したリング２３、２４及び３５が、リム１５とリブ部２０との間のトップ部１２の周りに設けられることは、この装置を使用するのに重要なことである。
【０１０４】
この事は、リング２３及び２４を貫通した軸方向の切れ目を具備させ、一旦３つの全てのリングがトップ部１２を覆うように設けられたら、これらリングの端部の連結することにより達成される。
【０１０５】
そして、連結したリング２３、２４及び３５は、リム１５及びリブ部２０によって限定される範囲内において、トップ部１２を上下に摺動することが可能となっている。
【０１０６】
使用において、装置１２は、ネジ込み式のキャップを有するボトルを覆って位置するように適合されている。連結したリング２３、２４及び３５は、リング２４がリム１５に隣接するように、上方向に摺動可能に適合されている。
【０１０７】
そして、トップ部１２が容器の蓋の上部を覆って位置するように、脚部は独立して湾曲可能となっている。
【０１０８】
そして、脚部１８のリブ部２０は、ボトルのネック領域の周囲の環部を覆うように摺動でき、当該環部の下に係合する。
【０１０９】
その間に、始めに、脚部１８は外側に湾曲し、そして内側リブ２２とボトルの環部との間で係合が生じたら、内側に湾曲する。
【０１１０】
そして、リング２３、２４及び３５は、下方向に摺動するが、最初に、各リングが突出部２１を超えて摺動可能なように、各リングは整列している。
【０１１１】
リブ２１が、リング２３、２４及び３５の凹部２８及び３９に入り込むことができるので、この事が許容される。
【０１１２】
本実施形態は、本発明の動作の理解を容易にするために突出部２１を単純な配列とした。しかしながら、予め決定される凹部の配置を有する別のリングに従って具備された突出部のより複雑な配列を含むものである。
【０１１３】
図１に示すように、連結したリングは、トップ部１２の底部に向かって下に摺動可能となっており、その結果として、それらは、リブ部２０の上面に隣接することとなる。
【０１１４】
各リングの内径は、中間区域１６の外径よりほんの僅かに大きいので、リングの下方向への移動は、同時に脚部１８の動作を強制し、その結果として、脚部は効果的に上部区域１７と同一の外径となる。
【０１１５】
同時に、内側リブ２２は、ボトルの環部に係合する。
【０１１６】
最下のリングが、外側リブ部２２に一旦隣接すると、突出部２１がそれらに対応する溝の内部で摺動し、全てのリングは回転可能となる。この状態になると、もはやリングは上方向に移動することはできない。
【０１１７】
一の突出部が、リングの一の溝の内部に位置するする限りは、いかなるリングも上方向に移動が不可能となっている。
【０１１８】
リングが脚部１８を覆って位置している限りは、脚部が下方向に移動することは不可能であり、ボトルの環部から内側リブ２２が外れないようになっている。
【０１１９】
従って、ボトルの蓋に接近することは不可能であり、それ故に、ボトルの上部から蓋を緩めることは不可能となっている。
【０１２０】
説明したタイプとは異なり、突出部及び凹部の異なる組み合わせを具備したタイプの装置が考えられ、その結果として、事実上、当該装置の所有者のみが知る組み合わせロックが提供される。従って、予め、突出部と凹部との固定用アッセンブリの組み合わせを知らない限りは、ボトルの蓋の権限のない取り外しは不可能となる。
【０１２１】
上述の実施形態を改変して、発明のコンセプトの実行の容易性を向上させることが可能であることに注目することは重要なことである。この事は、トップ部１２の中間区域１６を覆うようにリングを位置させることを容易にするだけでなく、リングを共に結合させることを容易にすることをも含む。
【０１２２】
さらに、柔軟な脚部装置を、ボトルの環部に係合する嵌合要素に全体として置き換え、そして、これらの係合要素を連結リングで覆い、連結された要素を外せないようにすることが可能である。
【０１２３】
さらに、ボトル又は他の容器の環部に係合可能な中間要素を具備させたり、この中間要素に、係合用の壁、表面、又は当該装置を中間要素に連結させることができる他の手段を具備させることも可能である。
【図面の簡単な説明】
【図１】図１は、本発明に関する装置の斜視図である。
【図２】図２は、図１に示す装置の斜視図である。
【図３】図３は、この装置の第１及び第３のリングの斜視図である。
【図４】図４は、中央リングの斜視図である。
【図１】
0004888873.tif 000002
【図２】
0004888873.tif 000003
【図３】
0004888873.tif 000004
【図４】
0004888873.tif 000005